(57)【要約】【課題】従来よりも耐久性に優れ暑い夏もお尻が蒸れにくい座椅子を提供しようとするもの。【解決手段】下側のクッション材１と、座部２と背もたれ部３の骨組みを形成する基枠体４と、前記基枠体４よりも幅広に形成された内側の弾性フォーム５と、上側のクッション材１とが接合して接着され、前記座部２のうち弾性フォーム５の座面領域６はくり抜かれて、ここに弾発力が調整された複数のコイルスプリング７が嵌合されると共に、前記上側のクッション材１と下側のクッション材１とが基枠体４と内側の弾性フォーム５とを包み込んだ状態で接着され、この外周から表装体１２により包被された。【選択図】　　　　図１
2004008476.tif 000002
【特許請求の範囲】
【請求項１】
下側のクッション材と、座部と背もたれ部の骨組みを形成する基枠体と、前記基枠体よりも幅広に形成された内側の弾性フォームと、上側のクッション材とが接合して接着され、前記座部のうち弾性フォームの座面領域はくり抜かれて、ここに弾発力が調整された複数のコイルスプリングが嵌合されると共に、前記上側のクッション材と下側のクッション材とが基枠体と内側の弾性フォームとを包み込んだ状態で接着され、この外周から表装体により包被されたことを特徴とする座椅子。
【請求項２】
前記複数のコイルスプリングはそれぞれが布状体により個別に包被されると共にこれら布状体は一体的に包被された請求項１記載の座椅子。
【請求項３】
前記コイルスプリングの高さは座部の全体の厚みの約６０〜７０％に設定された請求項１又は２記載の座椅子。
【発明の詳細な説明】
【０００１】
【発明の属する技術分野】
この発明は、背もたれが付いた座椅子に関するものである。
【０００２】
【従来の技術】
従来より、背もたれが付いた座椅子が愛用されている。
【０００３】
この座椅子は中空パイプ材等により枠体が形成され、座部にはウレタンフォームが挟み込まれておりクッション性が付与されている。よって、畳の部屋などでテレビを見たりする際に腰が楽であり、ゆっくりとくつろぐことができる。
【０００４】
しかし、この座椅子は繰り返しの使用によって前記ウレタンフォームのクッション性が早期に失われてしまいやすく、また暑い夏などにはお尻の部分が蒸れてくる場合もあるという問題があった。
【０００５】
【発明が解決しようとする課題】
そこでこの発明は、従来よりも耐久性に優れ暑い夏もお尻が蒸れにくい座椅子を提供しようとするものである。
【０００６】
【課題を解決するための手段】
前記課題を解決するためこの発明では次のような技術的手段を講じている。
▲１▼　この発明の座椅子は、下側のクッション材と、座部と背もたれ部の骨組みを形成する基枠体と、前記基枠体よりも幅広に形成された内側の弾性フォームと、上側のクッション材とが接合して接着され、前記座部のうち弾性フォームの座面領域はくり抜かれて、ここに弾発力が調整された複数のコイルスプリングが嵌合されると共に、前記上側のクッション材と下側のクッション材とが基枠体と内側の弾性フォームとを包み込んだ状態で接着され、この外周から表装体により包被されたことを特徴とする。
【０００７】
この座椅子では、座部のうちくり抜かれた座面領域には弾発力が調整された複数のコイルスプリングが嵌合されているので、座った際にコイルスプリングから基枠体へとかかる人の荷重が適度に分散され、ウレタンフォームを挟み込んでクッション性を付与するよりも弾発力が長持ちする。
【０００８】
また、複数のコイルスプリングを嵌合した構成であるので、ウレタンフォームからなるクッション材よりも通気性がよい。
【０００９】
さらに、内側の弾性フォームは座部と背もたれ部の骨組みを形成する基枠体よりも幅広に形成されたので、基枠体のごつごつした感触を包み込んで柔らかい外周面とすることができる。
【００１０】
そのうえ、上側のクッション材と下側のクッション材とが基枠体と内側の弾性フォームとを包み込んだ状態で接着され、この外周から表装体により包被されたので、各部材を接合して接着しこれを表装体により包被するという比較的に簡単な工程により製造することができる。
【００１１】
前記弾性フォームとして、例えばウレタンフォームを用いることができる。
▲２▼　また、前記複数のコイルスプリングはそれぞれが布状体により個別に包被されると共にこれら布状体は一体的に包被されたこととしてもよい。
【００１２】
このように構成すると、複数のコイルスプリング同士は相互に他のコイルスプリングの間に入り込むことなく、使用時のコイルスプリングの無用な変位を抑制することができる。
▲３▼　さらに、前記コイルスプリングの高さは座部の全体の厚みの約６０〜７０％に設定されたこととしてもよい。
【００１３】
このような比率に設定すると、コイルスプリングとクッション材及び弾性フォームの圧縮度の割合が最適となりコイルスプリング自体によってお尻に及ぼされるゴツゴツした違和感を極度に軽減することができると共に、座面領域からコイルスプリングを介し基枠体にかかる人の荷重を分散し座椅子の耐久性を向上させることができる。
【００１４】
【発明の実施の形態】
以下、この発明の実施の形態を図面を参照して説明する。
【００１５】
この実施形態の座椅子は、公知の方法により背もたれ部がリクライニング可能としている。なお前記背もたれ部は、リクライニングしない構造としてもよい。
【００１６】
図１乃至図５に示すように、具体的には、下側のクッション材１（幅約５０ｃｍ）と、座部２と背もたれ部３の骨組みを形成する中空スチールパイプ製の基枠体４（幅約４０ｃｍ）と、前記基枠体４よりも幅広に形成された内側のウレタンフォーム製の弾性フォーム５（幅約４５ｃｍ）と、上側のクッション材１（幅約５０ｃｍ）とが接合して接着剤により接着されている。
【００１７】
図４に示すように、座部２のうち弾性フォーム５の座面領域６は断面略コの字状にくり抜かれており、このくりぬかれた部分に、弾発力が上側及び下側のクッション材１にソフトに伝わるように調整された複数（縦６個×横６個の略正方形状で全３６個）のコイルスプリング７（ワイヤ直径が約２ｍｍ、コイル直径が約６ｃｍ、高さが約９ｃｍ）が嵌合されている。
【００１８】
前記複数のコイルスプリング７はそれぞれがポリプロピレンの不織布製の布状体８により個別に包被されると共に、これら布状体８は一体的にも包被されている。布状体８は、このポリプロピレンの不織布のような合成繊維の他に天然繊維としてもよい。
【００１９】
前記中空スチールパイプ製の基枠体４には幅方向の４箇所にポリプロピレン製のバンド９が巻回されており、基枠体４自体と前記ポリプロピレン製のバンド９の下面側に下側のクッション材１が接着され、上面側に内側の弾性フォーム５（座部２側と背もたれ部３側とがある）と複数のコイルスプリング７が包被された布状体８とが接着されるようにしている。
【００２０】
下側のクッション材１（厚み約２ｃｍ）はウレタンフォーム製としており、畳や床の保護層として機能する。上側のクッション材１（厚み約２ｃｍ）もウレタンフォーム製としており、お尻に対する緩衝材として機能する。内側の弾性フォーム５もウレタンフォーム製としており、その厚みはコイルスプリング７の高さ（約９ｃｍ）に対応して約９ｃｍに設定している。
【００２１】
この座椅子の座部２の全体の厚みは約１４〜１５ｃｍとしており、前記コイルスプリング７の高さ（約９ｃｍ）は座部２の全体の厚みの約６０〜７０％に設定している。このような比率に設定すると、コイルスプリング７とクッション材１及び弾性フォーム５の圧縮度の割合が最適となりコイルスプリング７自体によってお尻に及ぼされるゴツゴツした違和感を極度に軽減することができると共に、座面領域６からコイルスプリング７を介し（ポリプロピレン製のバンド９を介して）中空スチールパイプ製の基枠体４にかかる人の荷重を分散し座椅子の耐久性を向上させることができるという利点がある。
【００２２】
背もたれ部３側のウレタンフォーム製の弾性フォーム５には、ウレタンフォーム製の腰当て用クッション材１０（厚み約５ｃｍ）と、ウレタンフォーム製の頭部当て用クッション材１１（厚み約３ｃｍ）とを接着している。
【００２３】
そして、前記上側のクッション材１と下側のクッション材１とが基枠体４と内側の弾性フォーム５とを包み込んだ状態で接着され、この外周から表装体１２により包被されている。１３は、出し入れのためのファスナーである。前記表装体１２は、ポリエステル、ポリ塩化ビニール、ポリウレタン、アクリルなどの合成繊維、綿などの天然繊維、或いは合成皮革などにより形成することができる。
【００２４】
次に、この実施形態の座椅子の使用状態を説明する。
【００２５】
この座椅子では、座部２のうちくり抜かれた座面領域６には弾発力が調整された複数のコイルスプリング７が嵌合されているので、座った際にコイルスプリング７から基枠体４へとかかる人の荷重が適度に分散され、ウレタンフォームを挟み込んでクッション性を付与するよりも弾発力が長持ちし、従来よりも耐久性に優れるという利点がある。
【００２６】
そして、前記複数のコイルスプリング７はそれぞれが布状体８により個別に包被されると共にこれら布状体８は一体的に包被されて嵌合されているので、複数のコイルスプリング７同士は相互に他のコイルスプリング７の間に入り込むことなく、使用時のコイルスプリング７の無用な変位を抑制することができるという利点がある。
【００２７】
また、複数のコイルスプリング７を嵌合した構成であるので、ウレタンフォームからなるクッション材よりも通気性がよく、暑い夏もお尻が蒸れにくいという利点がある。
【００２８】
さらに、内側の弾性フォーム５は座部２と背もたれ部３の骨組みを形成する基枠体４よりも幅広に形成されたので、基枠体４のごつごつした感触を包み込んで柔らかい外周面（両サイドがなだらかなＲとなっている）とすることができる。
【００２９】
そのうえ、上側のクッション材１と下側のクッション材１とが基枠体４と内側の弾性フォーム５とを包み込んだ状態で接着され、この外周から表装体１２により包被されたので、各部材を接合して接着しこれを表装体１２により包被するという比較的に簡単な工程により製造することができる。
【００３０】
この座椅子は１人掛け用として構成したが、その幅を長くして２人掛け用や３人掛け用としてもよい。
【００３１】
【発明の効果】
この発明は上述のような構成であり、次の効果を有する。
【００３２】
座った際にコイルスプリングから基枠体へとかかる人の荷重が適度に分散され、ウレタンフォームを挟み込んでクッション性を付与するよりも弾発力が長持ちするので従来よりも耐久性に優れる、またウレタンフォームからなるクッション材よりも通気性がよいので暑い夏もお尻が蒸れにくい座椅子を提供することができる。
【００３３】
さらに、基枠体のごつごつした感触を包み込んで柔らかい外周面とすることができる。そのうえ、各部材を接合して接着しこれを表装体により包被するという比較的に簡単な工程により製造することができる。
【図面の簡単な説明】
【図１】この発明の座椅子の実施形態を説明する一部透視平面図。
【図２】図１の座椅子のＡ―Ａ線矢視図。
【図３】図２の座椅子のＢ―Ｂ線断面矢視図。
【図４】図１の座椅子の分解斜視図。
【図５】図１の座椅子の一部透視全体斜視図。
【符号の説明】
１　クッション材
２　座部
３　背もたれ部
４　基枠体
５　弾性フォーム
６　座面領域
７　コイルスプリング
８　布状体
１２　表装体
【図１】
2004008476.tif 000003
【図２】
2004008476.tif 000004
【図３】
2004008476.tif 000005
【図４】
2004008476.tif 000006
【図５】
2004008476.tif 000007